(57)【要約】【課題】  局部発振器の漏れを低減する広帯域ミクサを提供する。【解決手段】  ＬＯ信号は、互いに１８０°位相がずれている、第１中間ＬＯ信号および第２中間ＬＯ信号を供給する１８０°スプリッタに供給される。第１および第２中間ＬＯ信号は共に１８０°位相がずれているため、基本ＬＯ漏れは、１８０°位相がずれたＬＯトーンを同相結合して互いに相殺して、強力なＬＯ／ＲＦ排除を行うことによって、ＲＦポートで低減される。ＲＦまたはマイクロ波入力信号は、第１中間ＲＦ信号および第２中間ＲＦ信号を供給するパワースプリッタに供給される。第１中間ＬＯ信号は第１中間ＲＦ信号とミキシングされ、第２中間ＬＯ信号は第２中間ＲＦ信号とミキシングされて、ミクサの出力で中間周波数信号を供給する。【選択図】図１
2004159342.tif 000002
【特許請求の範囲】
【請求項１】
異なる周波数を有する信号をミキシングする広帯域ミクサであって、
無線周波数（ＲＦ）入力信号を受信し、前記ＲＦ入力信号と同相で、前記ＲＦ入力信号の電力レベルの約半分の電力レベルを有する第１中間ＲＦ信号および第２中間ＲＦ信号を生成するパワースプリッタと、
局部発振器（ＬＯ）入力信号を受信し、第１中間ＬＯ信号および第２中間ＬＯ信号を生成する位相スプリッタであって、前記第２中間信号は、前記第１中間ＬＯ信号および前記ＬＯ入力信号と１８０°位相がずれている、位相スプリッタと、
前記第１中間ＲＦ信号を前記第１中間ＬＯ信号とミキシングし、前記第２中間ＲＦ信号を前記第２中間ＬＯ信号とミキシングし、前記ミキシングされた中間信号を合成して、中間周波数（ＩＦ）信号を供給するミキシング段と、
を備えたミクサ。
【請求項２】
請求項１に記載のミクサにおいて、ミクサは、前記ＬＯ信号の偶数高調波周波数が前記ＲＦ信号の基本周波数とミキシングされる分数調波ミクサである、ミクサ。
【請求項３】
請求項１に記載のミクサにおいて、前記ミキシング段は、前記第１中間ＲＦ信号を前記第１中間ＬＯ信号とミキシングする第１逆並列ダイオード対、および前記第２中間ＲＦ信号を前記第２中間ＬＯ信号とミキシングする第２逆並列ダイオード対である、ミクサ。
【請求項４】
請求項３に記載のミクサにおいて、前記ミキシング段は、前記第１中間ＲＦ信号を前記第１中間ＬＯ信号とミキシングする第１逆並列ダイオード対、および前記第２中間ＲＦ信号を前記第２中間ＬＯ信号とミキシングする第２逆並列ダイオード対であり、前記第１および第２逆並列ダイオード対は共通ノードに結合され、前記ＩＦ信号は前記共通ノードに供給される、ミクサ。
【請求項５】
請求項１に記載のミクサにおいて、前記パワースプリッタは、３ｄＢパワーコンバイナ／スプリッタとして構成されるスパイラルバラン構造およびウィルキンソン３ｄＢパワーコンバイナ／スプリッタのうちの１つである、ミクサ。
【請求項６】
請求項１に記載のミクサにおいて、約２０ＧＨｚ〜約３０ＧＨｚ、約３７ＧＨｚ〜約４４ＧＨｚ、約５０ＧＨｚ〜約７０ＧＨｚ、および約７０ＧＨｚ〜約８０ＧＨｚのうちの１つの周波数範囲の帯域幅を有する、ミクサ。
【請求項７】
請求項１に記載のミクサにおいて、前記位相スプリッタは１８０°ハイブリッドとして構成された、スパイラルバラン構造のうちの１つである、ミクサ。
【請求項８】
請求項１に記載のミクサを備えた集積回路。
【請求項９】
請求項１に記載のミクサを備えた無線システム。
【発明の詳細な説明】
【技術分野】
【０００１】
本発明は、概括的には電子回路に関し、より詳細には異なる周波数で信号をミキシングする回路に関する。
【背景技術】
【０００２】
ほとんどの無線周波数受信機は、ミクサを使用して、受信された無線周波数（ＲＦ）信号をより低い周波数（たとえば、ベースバンドまたは中間周波数）に変換する。ＲＦ信号を処理する時に行われるフィルタリングおよび増幅において、より低い周波数は、ＲＦ周波数での処理に比べて費用がからず、より正確である。通常、変調されたＲＦ信号は、ミクサにおいて局部発振器（ＬＯ）信号と結合されて、中間周波数（ＩＦ）信号が生成され、ＩＦ信号は、次に、増幅され、検出されて、ＲＦ搬送波上に変調された情報が再生される。プロセス（処理）はまた、ＬＯ周波数信号をＩＦ信号とミキシングして、変調信号として増幅し、送信することができる変調ＲＦ搬送波を生成することによって逆転することができる。
【０００３】
ミクサは、ダイオードまたはトランジスタのいずれかを含む非線形デバイスであり、ミクサの機能は、２つの異なる周波数の信号を合成して、他の周波数のエネルギーを生成するようにすることである。帯域幅およびポート間アイソレーションなどの種々のミクサ・パラメータは、最新のＲＦシステムで動作することができるデバイスを作成するために最適化されねばならない。近年、サブミリ波受信機用途が増加しており、非常に高い周波数における、容易に生産可能で、改善された性能のミクサ技術が必要とされている。入力ＲＦ信号をＬＯ信号とミキシングすることによって、ＲＦおよびＬＯ周波数より下および上の周波数生成物が生ずる。各周波数生成物は入力ＲＦ周波数とＬＯ周波数の和に対応するが、より低い周波数生成物は、入力ＲＦ周波数とＬＯ周波数の差に対応する。
【０００４】
ミクサタイプには、シングルエンド型、シングルバランス型、ダブルバランス型、およびダブルダブルバランス型（トリプルバランス型とも呼ばれる）を含むものもある。これらのミクサ・タイプの全ては、３ポートデバイスであり、入力ポート（ＲＦポート）、局部発振器入力ポート（ＬＯポート）、および出力ポート（ＩＦポート）を備える。シングルエンドミクサは、最も簡単なタイプであり、単一ダイオードのみを用いて実現される。ＬＯポート、ＲＦポート、およびＩＦポートは、ある程度のポート間アイソレーションを可能にするためにフィルタによってのみ分離される。しかし、シングルエンドミクサは、帯域幅が狭く、ダイナミックレンジが制限され、またポート間アイソレーションが不十分である。シングルエンドミクサを用いて、より広帯域およびより良好なアイソレーションを得ることは可能である。シングルバランスミクサは、２つのシングルエンドミクサからなる。ミクサダイオードは、ＬＯ信号およひＲＦ信号によって給電される。高調波ミクサが利用されてきており、高調波ミクサでは、主要な出力がＬＯ周波数の特定の高調波である。より最近のタイプの偶数サブハーモニック（分数調波）ポンピング(pumped)ミクサは、「アンチパラレル（逆並列）」ダイオードと呼ばれる、並列に接続され、極性を反対にした２つのダイオードを使用する。分数調波周波数は、局部発振器周波数の偶数高調波のみの合成として出力周波数を提供する。
【０００５】
従来技術のミクサは、当技術分野でよく知られているいくつかの欠点を有する。これらの欠点の中には、ポート間アイソレーション、制限された帯域幅、特に、中間周波数帯域幅、モノリシックマイクロ波集積回路（ＭＭＩＣ）への組み込みに適した小型形態での実装についてのかなりの複雑さおよび困難さがある。ＭＭＩＣは、通常、半導体集積回路（ＩＣ）ウェハの基本的な処理技術を用いて、こうしたウェハ上に、かつ／またはウェハ内に構成される。通常、広帯域ミクサは、集中素子またはＩＣ作製技法およびＩＣ形状に適合した他の構造を用いて作られる。特に、広帯域ミクサは、信号をミキシングする半導体ダイオード、トランジスタなどに比較して、あるいは、増幅器またはＭＭＩＣに含むことができる他の信号処理素子に比較して、不釣合いに大きな基板面積を占めないようにかなり小さなサイズであることが重要である。こうした問題は、分布回路素子のサイズが実用的でなくなる１ギガヘルツ（ＧＨｚ）を超える周波数範囲において重要である。特に、広帯域用途については、モノリシック用途で大幅なダイ面積を必要とする、多くの集中素子または分布素子が使用される。したがって、従来のマイクロ波ミクサは帯域幅の範囲が制限されており、その結果、特定の帯域幅で動作するようにデザインされた無線機器(radios)用の特別に作成されたミクサをもたらした。したがって、可変帯域幅の無線機器の無線機器製造業者は、可変帯域幅の複数のミクサを用意して、異なる無線機器の特定の帯域幅要件を満たすようにする必要があるであろう。
【０００６】
ミクサに関する別の問題は、その強力なオンボードＬＯ信号を用いたダイレクトコンバージョン受信機の導入によって、干渉（混信）の問題が生じることである。より具体的には、受信機からアンテナへのスプリアスＬＯ漏れは、同じチャネルに同調した他の近くの受信機について帯域内干渉を引き起こす可能性がある。したがって、こうした受信機は、近くにある任意の無線機器の受信機のスワンピング(swamping)または飽和を回避するために、局部発振器とアンテナ間に非常に高いレベルのアイソレーションを必要とするであろう。こうした高いレベルのアイソレーションは、局部発振器エネルギーをアンテナに直接結合させる浮遊容量があるために、達成するのが非常に難しい。ＬＯ漏れの問題に対処する既知の方法は、アンテナへのＲＦ経路にアイソレーションを設けること、ミクサ上に、フィルタなどのアイソレータを挿入すること、局部発振器駆動電力を非常に低いレベルに減らすことを含む。しかし、これらの方法は短所を有しており、その理由は、これらの方法が、ダイナミックレンジに対して有害であり、感度を低下させ、ならびに、実装するのに費用がかかり、ダイ空間を増加させることがわかったからである。
【発明の開示】
【発明が解決しようとする課題】
【０００７】
したがって、少数の構成部品を利用し、ＭＭＩＣ内で、および／またはＭＭＩＣ上で、容易に集積化できる素子を構成し、および／または使用するのが容易な、信号をミキシングする改良された広帯域ミクサおよび方法が必要とされ続けている。
【課題を解決するための手段】
【０００８】
以下は、本発明のいくつかの態様の基本的な理解を可能にするために、本発明の簡単な概要を示す。この概要は本発明の広範囲にわたる全体像ではない。本発明の要所となるまたは重要な要素を特定することも、本発明の範囲を記述することも意図していない。唯一の目的は、後に提示されるより詳細な説明の前置きとして、単純化した形で、本発明のいくつかの概念を提示することである。
【０００９】
異なる周波数を有する信号をミキシングするための、広帯域ミクサおよび方法が提供される。ミクサおよび方法は、互いに１８０°位相がずれている、第１中間ＬＯ信号および第２中間ＬＯ信号を供給する位相スプリッタ(位相分割器)（たとえば、１８０°ハイブリッド）に、局部発振器（ＬＯ）信号を供給することを含む。第１および第２中間ＬＯ信号は、共に１８０°位相がずれているため、１８０°位相がずれたＬＯトーンを同相結合して互いに相殺することによって、基本ＬＯ漏れがＲＦポートで低減される。ＲＦ入力信号またはマイクロ波入力信号（たとえば、約１ＧＨｚから約１００ＧＨｚ）は、パワースプリッタ即ち電力分割器（たとえば、３ｄＢパワーコンバイナ／スプリッタ）に供給されて、第１中間ＲＦ信号および第２中間ＲＦ信号を供給するようにする。第１中間ＲＦ信号および第２中間ＲＦ信号は、共にＲＦ入力信号と同相であり、ＲＦ入力信号の電力レベルの約半分の電力レベルを有する。第１中間ＬＯ信号は第１中間ＲＦ信号とミキシングされ、第２中間ＬＯ信号は第２中間ＲＦ信号とミキシングされる。ミキシングされた信号を合成して、ミクサの出力で中間周波数（ＩＦ）信号を供給するようにする。
【００１０】
パワースプリッタおよび位相スプリッタを広帯域になるように選択して、マイクロ波周波数範囲（たとえば、約１ＧＨｚから約１００ＧＨｚ）の比較的高い周波数を扱うことができる広帯域ミクサを得ることができる。さらに、パワースプリッタおよび位相スプリッタは、以前はフィルタおよび他の部品によって得られた必要なアイソレーションを提供し、したがって、ミクサを比較的小さな集積回路上で使用することを可能にする。ミクサは、第１中間ＬＯ信号を第１中間ＲＦ信号とミキシングする第１の逆並列ダイオード対および第２中間ＬＯ信号を第２中間ＲＦ信号とミキシングする第２の逆並列ダイオード対を使用する平衡分数調波ミクサである。平衡分数調波ミクサは、出力周波数をＬＯ周波数の偶数高調波のみの合成として供給する。ＬＯ中間信号の偶数高調波周波数はＲＦ信号と同相である。
【００１１】
上記の目的および関連する目的を達成するために、本発明の所定の例示的態様が、以下の説明および添付図面に関連付けて本明細書に記載される。しかし、これらの態様は、本発明の原理を使用することができる、種々の方法のうちのいくつかを示すに過ぎず、本発明は、全てのこうした態様およびそれらの等価物を包含することを意図する。本発明の他の利点および新規の特徴は、図面と共に考慮するとき、以下の発明を実施するための最良の形態から明らかになるであろう。
【発明を実施するための最良の形態】
【００１２】
本発明は、局部発振器（ＬＯ）の漏れを緩和する広帯域ミクサ形態(topology)に関する。ＬＯ信号は、１８０°スプリッタ（たとえば、１８０°ハイブリッド）に供給され、スプリッタは互いに１８０°ずれている第１中間ＬＯ信号および第２中間ＬＯ信号を供給する。第１および第２中間ＬＯ信号は共に、１８０°位相がずれているため、１８０°位相がずれたＬＯトーンを同相結合して互いに相殺して、強力なＬＯ／ＲＦ排除を行うことによって、基本ＬＯ漏れがＲＦポートで緩和される。ＲＦまたはマイクロ波入力信号（たとえば、約１ＧＨｚから約１００ＧＨｚ）は、パワースプリッタ（たとえば、３ｄＢパワーコンバイナ／スプリッタ）に供給されて、第１中間ＲＦ信号および第２中間ＲＦ信号を供給するようにする。第１中間ＲＦ信号および第２中間ＲＦ信号は共に、ＲＦ入力信号と同相であり、ＲＦ入力信号の電力レベルの約半分の電力レベルを有する。第１中間ＬＯ信号は第１中間ＲＦ信号とミキシングされ、第２中間ＬＯ信号は第２中間ＲＦ信号とミキシングされる。ミキシングされた信号を合成して、ミクサの出力で中間周波数（ＩＦ）信号を供給するようにする。
【００１３】
さらに、３ｄＢパワーコンバイナ／スプリッタなどのパワースプリッタおよび１８０°ハイブリッドなどの１８０°スプリッタを使用することによって、集中素子によるソリューション（方法）を使用することなく、１ＧＨｚを超えるマイクロ波周波数範囲（たとえば、約１ＧＨｚから約１００ＧＨｚ）の比較的高い周波数を扱うことができる広帯域ミクサが提供される。その理由は、パワースプリッタおよび１８０°スプリッタが本来広帯域であるからである。さらに、３ｄＢパワーコンバイナ／スプリッタおよび１８０°スプリッタは、以前はフィルタおよび他の部品によって得られた必要なアイソレーションを提供し、したがって、ミクサを比較的小さな集積回路上で使用することを可能にする。したがって、単一部品を使用して、複数の周波数帯域をカバーすることができる。
【００１４】
本発明の一態様において、ミクサは、第１中間ＬＯ信号を第１中間ＲＦ信号とミキシングする第１の逆並列ダイオード対および第２中間ＬＯ信号を第２中間ＲＦ信号とミキシングする第２の逆並列ダイオード対を使用する平衡分数調波ミクサである。平衡分数調波ミクサは、ＬＯ周波数の偶数高調波のみの合成として出力周波数を供給する。第１および第２の逆並列ダイオード対の出力は、共通点に結合されて、ミクサの出力でＩＦ信号を供給する。共通点は、ＲＦおよびＬＯグラウンドの役を果たす。ＬＯ信号は、１８０°位相をずらして逆並列ダイオードに供給される。ＬＯの２次高調波は、位相変化が２倍となり、したがって、同相となる。たとえば、第１中間ＬＯ信号は０°にあり、０°の２次高調波は０°である。さらに、第２中間ＬＯ信号は−１８０°にあり、−１８０°の２次高調波は−３６０°即ち０°である。したがって、２次高調波の第１および第２中間ＬＯ信号は共に、ＲＦ信号と同相である。
【００１５】
図１は、本発明の態様によるミクサ１２を使用した無線システム１０を示す。無線システム１０は無線フロントエンド部２２に結合したアンテナ２０を含む。ＲＦまたはマイクロ波入力信号は、アンテナ２０によって受信され、アンテナはＲＦ入力信号を取得し、ＲＦ入力信号を無線フロントエンド部２２に送信する。無線フロントエンド部２２は、ＲＦ入力信号を増幅し、フィルタリングして、所望の周波数帯域以外にある信号（たとえば、雑音、干渉）を除去する。無線フロントエンド処理の多くの変形形態が存在することが認識されるはずである。ＲＦ入力信号は、次に、ミクサ１２のＲＦポートに供給される。ミクサ１２は、ＲＦポート、ＬＯポート、およびＩＦポートを含む。局部発振器２４は、ＬＯポートに結合され、無線フロントエンド部２２はＲＦポートに結合される。ミクサ１２は、ＲＦ入力信号とＬＯ入力信号をミキシングし、ＩＦポートからＩＦ信号を供給する。ミクサ１２は無線システム１０の受信部の一部として示されているが、ＩＦポートとＬＯポートを入力として、ＲＦポートを出力として利用することによって、ミクサ１２を無線システム１０の送信機部において使用することができることが認識されるべきである。
【００１６】
ＬＯ入力信号は、１８０°位相スプリッタ１８（たとえば、１８０°ハイブリッド）に供給され、位相スプリッタは、第１ノード３２で第１中間ＬＯ信号を、第２ノード３４で第２中間ＬＯ信号を供給する。第２中間ＬＯ信号は、第１中間ＬＯ信号およびＬＯ入力信号から１８０°位相がずれている。第１および第２中間ＬＯ信号は共に、１８０°位相がずれているため、１８０°位相がずれたＬＯトーンを同相結合して互いに相殺して、強力なＬＯ／ＲＦ排除を行うことによって、基本ＬＯ漏れがＲＦポートで低減される。ＲＦまたはマイクロ波入力信号は、パワースプリッタ／コンバイナ１４に供給されて、第１ノード３２で第１中間ＲＦ信号を、第２ノード３４で第２中間ＲＦ信号を供給するようにする。第１中間ＲＦ信号および第２中間ＲＦ信号は共に、ＲＦ入力信号と同相であり、ＲＦ入力信号の電力レベルの約半分の電力レベルを有する。ミキシング段１６で、第１中間ＬＯ信号は第１中間ＲＦ信号とミキシングされ、第２中間ＬＯ信号は第２中間ＲＦ信号とミキシングされる。ミキシングされた信号を合成して、ミクサ１２のＩＦポートで中間周波数（ＩＦ）信号を供給するようにする。ＩＦ信号は、次に、ＩＦフィルタ２６に供給され、ＩＦフィルタは、ＩＦ信号から好ましくない信号を除去する。フィルタリングされたＩＦ信号は、次に、アナログ／デジタル変換および復調などの他の処理のために、無線バックエンド部２８に供給される。信号は、最終処理（たとえば、復号化、データ抽出）のために、信号処理プロセッサ３０に供給される。
【００１７】
図２は、本発明の態様による広帯域平衡分数調波ミクサ４０を示す。ミクサ４０は、ＲＦポートに結合した３ｄＢパワーコンバイナ／スプリッタ４２およびオプションのローパスフィルタ４６を通ってＬＯポートに結合した１８０°ハイブリッド４４を含む。１８０°ハイブリッド４４は、１つの端子に入る信号が分かれて、２つの隣接端子から１８０°位相がずれて出るように構成された変成器または導波回路である。３ｄＢパワーコンバイナ／スプリッタ４２は、ＲＦまたはマイクロ波入力信号を受信して、第１中間ＲＦ信号を第１ノード４５へ、第２中間ＲＦ信号を第２ノード４７へ供給する。第１中間ＲＦ信号および第２中間ＲＦ信号は共に、ＲＦ入力信号と同相であり、ＲＦ入力信号の電力レベルの約半分の電力レベルを有する。１８０°ハイブリッド４４は、ＬＯ信号を受信して、第１中間ＬＯ信号を第１ノード４５へ、第２中間ＬＯ信号を第２ノード４７へ供給する。第２中間ＬＯ信号は第１中間ＬＯ信号およびＬＯ入力信号から１８０°位相がずれている。
【００１８】
ミクサ４０は、ダイオードＤ１とＤ２から成る第１逆並列ダイオード対およびダイオードＤ３とＤ４から成る第２逆並列ダイオード対を含む。ダイオードＤ１〜Ｄ４は、たとえばショットキーダイオードである。第１逆並列ダイオード対は、第１中間ＲＦ信号と第１中間ＬＯ信号とのミキシングを行い、第２逆並列ダイオード対は、第２中間ＲＦ信号と第２中間ＬＯ信号とのミキシングを行なう。第１および第２逆並列ダイオード対の出力は、共通ノード４９に結合されて、ミクサ４０のＩＦポートでＩＦ信号を供給する。第１コンデンサＣ１は共通ノードをグラウンドに結合させ、第２コンデンサＣ２は、ＩＦポートに設けられて、ＩＦポートをグラウンドに結合する。共通ノード４９は、ＲＦグラウンドおよびＬＯグラウンドを提供する。
【００１９】
平衡分数調波ミクサ４０は、ＬＯ周波数の偶数高調波のみの合成として出力周波数を供給する。第１中間ＬＯ信号は、第１逆並列ダイオード対に０°の同相で供給されており、ＬＯの２次高調波は、位相変化が２倍なるため、第１中間ＬＯ信号の２次高調波は、０°でかつ同相である。第２中間ＬＯ信号は、第２逆並列ダイオード対に−１８０°位相がずれて供給されており、ＬＯの２次高調波は、位相が２重にシフトしているため、第２中間ＬＯ信号の２次高調波は、−３６０°または０°で同相である。したがって、２次高調波の第１および第２中間ＬＯ信号は共に、ＲＦ入力信号の基本周波数ならびに第１および第２中間ＲＦ信号と同相である。共通ノード４９は、ＩＦポートに結合されて、所望のＩＦ周波数信号を供給する。ＩＦ信号の周波数は、ＲＦ入力信号の周波数からＬＯ信号の周波数の２倍を引いたものに等しいであろう。
【００２０】
３ｄＢパワーコンバイナ／スプリッタ４２および１８０°ハイブリッド４４のデザインは、１ＧＨｚを超える高周波数（たとえば、約１ＧＨｚから約１００ＧＨｚ）を扱うことができるのに加えて、本質的に広帯域幅を有する。さらに、３ｄＢパワーコンバイナ／スプリッタ４２および１８０°ハイブリッド４４は、ＲＦ信号とＬＯ信号との必要なアイソレーションを提供するため、ＲＦ信号とＬＯ信号をミキシングしてＩＦ信号を供給するのに必要とされる構成部品の数を減らすことができる。したがって、ミクサ４０は、サイズが比較的小さな集積回路上に容易に集積化することができる。
【００２１】
図３は、本発明の態様に従って集積回路上に設けられたミクサ５０を示す。ミクサ５０は、らせん（スパイラル）バランパワーコンバイナ／スプリッタ５８を使用しており、比較的広帯域のマイクロ波レンジ（たとえば、約２０ＧＨｚから約３０ＧＨｚ、約３７ＧＨｚから約４４ＧＨｚ）で動作することができる。したがって、ミクサ５０を、広帯域マイクロ波周波数範囲内の異なる帯域で動作する無線機器で使用することができる。たとえば、約２０ＧＨｚから約３０ＧＨｚの広帯域マイクロ波レンジで動作するミクサを、２４〜２７ＧＨｚの帯域で動作する無線機器で、また、２７〜３０ＧＨｚの帯域で動作する無線機器で使用することができる。約３７ＧＨｚから約４４ＧＨｚの広帯域マイクロ波レンジで動作するミクサを、３７〜４０ＧＨｚの帯域で動作する無線機器で、また、４０〜４４ＧＨｚの帯域で動作する無線機器で使用することができる。したがって、異なる動作帯域の無線機器ついて単一部品を使用することができる。
【００２２】
本発明のある態様によれば、バラン構造を使用して、所望の電力分割および位相分割を行うようにする。バランは、平衡／不平衡変成器デバイスである。バランは不平衡入力から平衡出力を供給する。ワイヤレス用途のための平衡出力は、互いに１８０°位相がずれている２つの出力端子の各々で入力信号振幅の半分を必要とする。原理上、従来の変成器デザインはこの結果をもたらすことは可能である。しかし、従来の変成器デザイン（通常、ワイヤを巻いたデバイス）は、磁束漏れおよび巻き線間の容量性結合によって、数百メガヘルツの周波数上限を有する。現行のワイヤレス用途は、低い電力で非常に高い周波数動作を必要とする。パッシブ（受動）バランは、アクティブ（能動）バランの大きなＤＣ電力消費なしで、高周波数動作が可能である。知られているパッシブバランのデザインは、優れた平衡を提供し、小さくて、容易に集積化される形状で作成することができる、スパイラルコイルバランを含む。スパイラルバランは、ＧａＡｓＭＭＩＣ技術および２本を並べたスパイラルマイクロストリップ線を用いて実装することができる。
【００２３】
ミクサ５０は、パワーコンバイナ／スプリッタ５８として動作するように構成された第１スパイラルバラン構造に結合したＲＦポート５２を含む。パワーコンバイナ／スプリッタ５８は、アイソレーションコンデンサ６４に加えて、複数のアイソレーション抵抗器６２を含む。パワーコンバイナ／スプリッタ５８の２つのポートはグラウンドパッド８０に結合する。各抵抗器６８を通して、第１ＲＦ中間出力ポートは、第１逆並列ダイオード対７０に結合し、第２ＲＦ中間出力ポートは、第２逆並列ダイオード対７２に結合する。第１逆並列ダイオード対７０および第２逆並列ダイオード対７２は共通ノードに結合する。共通ノードは、コンデンサ７４を介してグラウンドパッド８０に結合する。共通ノードはまた、ＩＦポート５６に結合する。コンデンサ７８はＩＦポート５６をグラウンドパッド８０に結合させる。ＬＯポートは、１８０°ハイブリッド６０として構成された第２スパイラルバラン構造の入力に結合する。１８０°ハイブリッドの１つのポートは、オープンのままにされるが、別のポートはグラウンドパッド８０に結合する。第１ＬＯ中間出力ポートは、第１逆並列ダイオード対７０に結合し、第２ＬＯ中間出力ポートは、第２逆並列ダイオード対７２に結合する。集積化されたミクサ回路５０は、従来の集積回路の作製と同様に、複数の結合コンデンサ８４、グラウンドパッド８０、およびボンドパッド８２を含む。
【００２４】
本発明の一態様において、ミクサ５０は、パワーコンバイナ／スプリッタ５８および１８０°ハイブリッド６０の選択されたデザインパラメータに基づいて約２０ＧＨｚから約３０ＧＨｚの範囲のＲＦまたはマイクロ波周波数信号を受信するように動作する。ＬＯ信号はＬＯポートに供給され、ＬＯポートは、ＬＯ信号の偶数高調波をＲＦ基本周波数とミキシングする。次に、中間周波数信号がＩＦポートで供給される。中間周波数信号は、次に、望ましくない偶数高調波信号を除去するためにフィルタリングすることができる。所望の中間周波数信号は、次に、ＲＦキャリア（搬送波）上で変調された情報を再生するために、さらに復調し、処理することができる。本発明の別の態様において、ミクサ５０は、パワーコンバイナ／スプリッタ５８および１８０°ハイブリッド６０の選択されたデザインパラメータに基づいて約３７ＧＨｚから約４４ＧＨｚの範囲のＲＦまたはマイクロ波周波数信号を受信するように動作する。巻かれたバラン構造パワーコンバイナ／スプリッタの選択されたパラメータは、約１ＧＨｚから約５０ＧＨｚ以内に入る範囲内の周波数について広帯域のレンジを提供するように修正することができることが認識されるはずである。上述した、選択されたパラメータは、ミクサデザイン分野の当業者には明らかであろう。
【００２５】
図４は、本発明の別の態様による、集積回路上に設けられたミクサ９０を示す。ミクサ９０は、ウィルキンソン同相パワーコンバイナ／スプリッタ１０４を使用し、比較的広帯域のマイクロ波レンジ（たとえば、約５０ＧＨｚから約７０ＧＨｚ、約７０ＧＨｚから約８０ＧＨｚ）で動作することができる。したがって、ミクサ９０は、広帯域マイクロ波周波数範囲内の異なる帯域で動作する無線機器で使用することができる。たとえば、約５０ＧＨｚから約７０ＧＨｚの広帯域マイクロ波レンジで動作するミクサは、５７〜６０ＧＨｚの帯域で動作する無線機器で、また、６０〜６５ＧＨｚの帯域で動作する無線機器で使用することができる。約７０ＧＨｚから約８０ＧＨｚの広帯域マイクロ波レンジで動作するミクサは、７０〜７４ＧＨｚの帯域で動作する無線機器で、また、７５〜８０ＧＨｚの帯域で動作する無線機器でも使用することができる。したがって、異なる動作帯域の無線機器について、単一部品を使用することができる。
【００２６】
ミクサ９０は、ウィルキンソンパワーコンバイナ／スプリッタ１０４に結合したＲＦポート９８を含む。パワーコンバイナ／スプリッタ１０４は、アイソレーション抵抗器（たとえば、１００オーム）を含む。各抵抗器１１０を通して、第１ＲＦ中間出力ポートは、第１逆並列ダイオード対１１２に結合し、第２ＲＦ中間出力ポートは、第２逆並列ダイオード対１１４に結合する。第１逆並列ダイオード対１１２および第２逆並列ダイオード対１１４は共通ノードに結合する。共通ノードは、コンデンサ９２を介してグラウンドパッド１１８に結合する。共通ノードはまた、ＩＦポート１０２にも結合する。コンデンサ９４はＩＦポート１０２をグラウンドパッド１１８に結合させる。ＬＯポート１００は、１８０°ハイブリッド１０６として構成されたスパイラルバラン構造の入力に結合する。１８０°ハイブリッドの１つのポートは、オープンのままにされるが、別のポートはグラウンドパッド１１８に結合する。第１ＬＯ中間出力ポートは、第１逆並列ダイオード対１１２に結合し、第２ＬＯ中間出力ポートは、第２逆並列ダイオード対１１４に結合する。集積化されたミクサ回路９０は、集積回路の作製において従来そうであるが、複数の結合コンデンサ１１６、グラウンドパッド１１８、およびボンドパッド１２０を含む。
【００２７】
本発明の一態様において、ミクサ９０は、ウィルキンソンパワーコンバイナ／スプリッタ１０４および１８０°ハイブリッド１０６の選択されたデザインパラメータに基づいて約５０ＧＨｚから約７０ＧＨｚの範囲のＲＦまたはマイクロ波周波数信号を受信するように動作する。ＬＯ信号はＬＯポート１００に供給され、ＬＯポートは、ＬＯ信号の偶数高調波をＲＦ基本周波数とミキシングする。次に、中間周波数信号がＩＦポート１０２に供給される。中間周波数信号は、次に、好ましくない偶数高調波信号を除去するためにフィルタリングすることができる。所望の中間周波数信号は、次に、ＲＦ搬送波上で変調された情報を再生するために、さらに復調し、処理することができる。本発明の別の態様において、ミクサ９０は、ウィルキンソンパワーコンバイナ／スプリッタ１０４および１８０°ハイブリッド１０６の選択されたデザインパラメータに基づいて約７０ＧＨｚから約８０ＧＨｚの範囲のＲＦまたはマイクロ波周波数信号を受信するように動作する。ウィルキンソンパワーコンバイナ／スプリッタ１０４の選択されたパラメータは、約５０ＧＨｚから約１０００ＧＨｚ以内に入る範囲内の周波数について広帯域のレンジを提供するように修正することができることが認識されるはずである。これらの選択されたパラメータは、ミクサデザイン分野の当業者には明らかであろう。
【００２８】
図５は、本発明の態様による、３ｄＢパワーコンバイナ／スプリッタとして動作するように構成されたらせん巻き（スパイラル)バラン構造１５０を示す。スパイラルバラン構造１５０は、ＲＦIN信号源に結合した第１ポート（１）を形成するセンタタップを含む。第４ポートおよび第５ポートはグラウンドに結合される。アイソレーション抵抗器Ｒ１は、バラン構造１５０の中間に結合して、バラン構造１５０に対する適切なアイソレーションを提供する。第２ポート（２）は第１中間ＲＦ信号を供給し、第３ポート（３）は第２中間ＲＦ信号を供給し、それらのＲＦ信号は、共に、ＲＦ入力信号ＲＦINについて、電力は半分であり、同相である。直列コンデンサ／抵抗器構成Ｒ２、Ｃ２およびＲ３は、第２ポート（２）と第３ポート（３）の間で結合して、バラン構造１５０の性能を調節し、第２ポートと第３ポートの間にアイソレーションを提供するのに加えて、全ポートでの良好なリターンロス(反射減衰量)を有する広帯域性能を提供する。バラン構造１５０は、３ｄＢパワーコンバイナ／スプリッタとして構成され、スパイラルバラン構造１５０の選択されたパラメータ（たとえば、スパイラルマイクロストリップ線寸法）に基づいて約１ＧＨｚから約５０ＧＨｚの範囲内に入る周波数の広帯域レンジ内で動作することができる。
【００２９】
図６は、本発明の態様による、ウィルキンソン３ｄＢパワーコンバイナ／スプリッタ１６０を示す。入力ポートはＲＦIN信号源に結合する。入力ポートは、概して楕円形状の構成の中心領域に結合される。第１の半円アームは、中心領域から第１方向に延在し、第１出力ポートを提供する端部を含む。また、第２の半円アームは、中心領域から第２方向に延在し、第２出力ポートを提供する端部を含む。アイソレーション抵抗器Ｒ４は、第１出力ポートと第２出力ポートの間に結合される。ウィルキンソンパワーコンバイナ／スプリッタ１６０の入力インピーダンスは、ウィルキンソンパワーコンバイナ／スプリッタ１６０の入力インピーダンスと選択された抵抗器Ｒ４の値に基づく。ウィルキンソンパワーコンバイナ／スプリッタ１６０は、入力ポートでＲＦまたはマイクロ波入力信号を受信するように作用し、第１出力ポートで第１中間ＲＦ信号を、第２出力ポートで第２中間ＲＦ信号を生成し、それらのＲＦ信号は、共に、ＲＦIN入力信号の電力の半分であり、ＲＦIN入力信号と同相である。ウィルキンソンパワーコンバイナ／スプリッタ１６０は、ウィルキンソンパワーコンバイナ／スプリッタ１６０の選択されたパラメータ（たとえば、アームの長さ、アームの厚さ）に基づいて約５０ＧＨｚから約１００ＧＨｚの範囲内に入る大幅に高周波の広帯域レンジ内で動作することができる。
【００３０】
図７は、本発明の態様による、１８０°ハイブリッドとして動作するように構成されたスパイラルバラン構造１７０を示す。第５ポート（５）は、ＬＯ信号源ＬＯINに結合されるが、センタタップは、グラウンドに結合した第３ポート（３）を提供し、第４ポートはオープンのままにされる。アイソレーション抵抗器Ｒ５は、スパイラルバラン構造１７０の中間に結合して、スパイラルバラン構造１７０に対して適切なアイソレーションを提供する。第１ポート（１）は、抵抗器Ｒ６を通して、ＬＯ入力信号ＬＯINと同相の第１中間ＬＯ出力信号ＬＯOUT1を供給する。第２出力ポート（２）は、抵抗器Ｒ７を通して、ＬＯ入力信号ＬＯINおよび第１中間ＬＯ出力信号ＬＯOUT1と１８０°位相がずれた第２中間ＬＯ出力信号ＬＯOUT2を供給する。スパイラルバラン構造１７０は、１８０°ハイブリッドを提供するように動作し、スパイラルバラン構造１７０の選択されたパラメータ（たとえば、スパイラルマイクロストリップ線寸法）に基づいて約１ＧＨｚから約１００ＧＨｚの範囲内に入る周波数の広帯域レンジ内で動作することができる。
【００３１】
上述した構造的、機能的特徴からみて、本発明の種々の態様による方法論は、図８を参照してよりよく認識されるであろう。説明を簡単にするために、図８に方法論が示され、順次実行されるように説明しているが、本明細書で示し、説明したものから、本発明によれば、いくつかの態様が、異なる順序で、および／または他の態様と同時に行われることが考えられることから、本発明は、示した順序によって制限されないことが理解され、認識されるはずである。さらに、本発明の態様による方法論を実施するのに、示した全ての特徴を必要とするわけではない。
【００３２】
図８は、本発明の態様に従って、ＲＦ入力信号をＬＯ信号とミキシングすることによって、中間周波数信号を供給する方法論を示す。方法論は、２００で始まり、ＬＯ入力信号がミクサによって、たとえば、ミクサのＬＯポートで受信される。２１０で、ＬＯ入力信号は、第１中間ＬＯ信号および第２中間ＬＯ信号に分割される。第１中間ＬＯ信号はＬＯ入力信号と同相である。第２中間ＬＯ信号は、ＬＯ入力信号および第１中間ＬＯ信号と１８０°位相がずれている。第１中間ＬＯ信号および第２中間ＬＯ信号は、１８０°ハイブリッドなどの１８０°位相スプリッタを使用して、供給することができる。方法論は次に２２０に進む。２２０で、ＲＦまたはマイクロ波信号は、たとえば、ミクサのＲＦポートで受信される。ＲＦまたはマイクロ波信号は、約１ＧＨｚから約１００ＧＨｚ内の範囲などの高周波数帯域レンジにある。２３０で、ＲＦまたはマイクロ波信号は、第１中間ＲＦ信号および第２中間ＲＦ信号に分割される。第１中間ＲＦ信号および第２中間ＲＦ信号は、共にＲＦ入力信号に対して、電力が半分であり、同相である。第１中間ＲＦ信号および第２中間ＲＦ信号は、３ｄＢパワーコンバイナ／スプリッタを使用することによって供給される。方法論は次に２４０に進む。
【００３３】
２４０で、第１中間ＲＦ信号および第１中間ＬＯ信号は、たとえば、第１逆並列ダイオード対などのミキシング構成部品を使用してミキシングされる。第２中間ＲＦ信号および第２中間ＬＯ信号は、たとえば、第２逆並列ダイオード対などのミキシング構成部品を使用してミキシングされる。ミキシング構成部品が逆並列ダイオード対である場合、中間ＬＯ信号の偶数高調波周波数は、中間ＲＦ信号とミキシングされる。さらに、第１および第２中間ＬＯ信号は共に１８０°位相がずれているため、基本ＬＯ漏れは、１８０°位相がずれたＬＯトーンを同相結合して互いに相殺して、強力なＬＯ／ＲＦ排除を行うことによって、ＲＦポートで低減される。２５０で、ミキシングされた第１および第２中間信号は合成されて、中間周波数信号を供給する。中間周波数信号は、ミクサのＩＦポートで供給することができる。
【００３４】
以上、本発明の例示的な実施態様について述べた。もちろん、本発明を記載する目的のために、構成部品または方法論の全ての考えられる組み合わせを記載することはできないが、当業者は、本発明の多くのさらなる組み合わせおよび置換が可能であることがわかるであろう。したがって、本発明は、特許請求の範囲の精神および範囲に入る、全てのこうした変更形態、修正形態および変形形態を含むことを意図している。
【図面の簡単な説明】
【００３５】
【図１】本発明の態様によるミクサを使用した無線システムのブロック図である。
【図２】本発明の態様による広帯域平衡分数調波ミクサのブロック図である。
【図３】本発明の態様による、集積回路上に設けられたミクサの拡大正面図である。
【図４】本発明の別の態様による、集積回路上に設けられたミクサの拡大正面図である。
【図５】本発明の態様による、３ｄＢパワーコンバイナ／スプリッタとして動作するように構成されたスパイラルバラン構造の略図である。
【図６】本発明の態様による、ウィルキンソン３ｄＢパワーコンバイナ／スプリッタの略図である。
【図７】本発明の態様による、１８０°ハイブリッドとして動作するように構成されたスパイラルバラン構造の略図である。
【図８】本発明の態様による、ＲＦ入力信号をＬＯ信号とミキシングすることにより、中間周波数信号を供給する方法論を示す図である。
【図１】
2004159342.tif 000003
【図２】
2004159342.tif 000004
【図３】
2004159342.tif 000005
【図４】
2004159342.tif 000006
【図５】
2004159342.tif 000007
【図６】
2004159342.tif 000008
【図７】
2004159342.tif 000009
【図８】
2004159342.tif 000010